(57)【特許請求の範囲】
【請求項１】
ガス入口通路とガス出口通路とを連通する第１のノズル部を開閉可能な第１の弁体および、この第１の弁体の開閉動作を、前記ガス出口通路側の圧力変化に基づき変位することで行わせる第１のダイヤフラムを備えた第１の減圧手段と、
前記ガス入口通路と前記第１のノズル部との間に設けられ、ガスの流れに伴って圧力を低下させる差圧発生手段と、
この差圧発生手段の下流側の圧力低下部に対し、前記差圧発生手段の上流側に連通する減圧室を画成するとともに、前記圧力低下部と前記減圧室との圧力差に基づき変位する第２のダイヤフラム、前記減圧室と前記ガス出口通路とを連通する第２のノズル部、この第２のノズル部を、前記第２のダイヤフラムの動作に連動して開閉可能な第２の弁体をそれぞれ設けて構成した第２の減圧手段とを有し、
前記第２のダイヤフラムは、その上部側に、前記差圧発生手段の下流側の圧力低下部を備えてほぼ水平配置されている圧力調整器において、
前記圧力低下部に、第２のダイヤフラムの上部にガス導入空間を形成するようドレン防止部材を設け、
このドレン防止部材の周囲側部に、差圧発生手段側と第１のノズル部側とを連通する連絡路を設けるとともに、この連絡路と前記ガス導入空間とを連通する連通孔を前記ドレン防止部材に設けたことを特徴とする圧力調整器。
【請求項２】
連通孔は、差圧発生手段側の圧力低下部の連絡路への接続部から離れた位置に配置されていることを特徴とする請求項１記載の圧力調整器。
【請求項３】
連通孔は、連絡路の上部側に位置していることを特徴とする請求項１または２記載の圧力調整器。
【請求項４】
ドレン防止部材の一部が、ガス出口通路側と圧力低下部とを隔てる隔壁となっていることを特徴とする請求項１ないし３のいずれかに記載の圧力調整器。
【請求項５】
ドレン防止部材は、下部が開放したキャップ状を呈し、圧力調整器のボディに装着された状態で、周囲側壁と前記ボディの内壁との間に連絡路が形成されていることを特徴とする請求項１ないし４のいずれかに記載の圧力調整器。
【発明の詳細な説明】
【０００１】
【発明の属する技術分野】
この発明は、ガス供給側からガス使用側へ供給されるガスの圧力を調整する圧力調整器に関する。
【０００２】
【従来の技術】
図４は、特許第２９７１８７４号公報に開示されている従来の圧力調整器の断面図である。この圧力調整器は、ガス供給側であるＬＰガスボンベから、ガス使用側であるガスレンジなどの燃焼器に、ＬＰガスを供給するガス供給通路の途中に設けられるものである。
【０００３】
図中で左側のガス入口通路１と、同右側のガス出口通路３との間には、０．０７〜１．５６ＭＰａで導入されるガスの圧力を、０．０６ＭＰａ程度に減圧する中圧減圧部５と、それをさらに２．５５〜３．３ＫＰａ程度に減圧する低圧減圧部７とが設けられている。
【０００４】
中圧減圧部５では、燃焼器側でガスが使用されることで、中圧用減圧室９の圧力が低下し、中圧スプリング１１により中圧ダイヤフラム１３が下方に押圧されて変位すると、これに伴い中圧弁１５が下方に移動して中圧ノズル１７を開放する。これにより、ガス入口通路１から導入されたガスが中圧用減圧室９に流入する。中圧用減圧室９の圧力が上昇し、この圧力が中圧スプリング１１の弾性力に打ち勝つと、中圧弁１５が上昇移動して中圧ノズル部１７の流路を狭め、中圧用減圧室９へのガスの流入を制御する。このように、中圧弁１５が中圧ノズル部１７の流路を開閉制御して中圧用減圧室９に流入するガスの圧力を制御する。
【０００５】
一方、低圧減圧部７においては、燃焼器側でガスが使用されることで、低圧用減圧室１９の圧力が低下し、低圧スプリング２１により低圧ダイヤフラム２３が下方に押圧されて変位すると、これに伴い低圧弁２５が右方向に移動して低圧ノズル部２７を開放する。これにより、中圧用減圧室９側のガスが、ガス連通路２９を経てガス出口通路３側に流れる。低圧用減圧室１９の圧力が上昇し、この圧力が低圧スプリング２１の弾性力に打ち勝つと、低圧ダイヤフラム２３が上方に向けて変位し、低圧弁２５が左方向へ移動して低圧ノズル部２７の流路を狭め、低圧用減圧室１９へのガスの流入を制御する。このように、低圧弁２５が低圧ノズル部２７の流路を開閉制御して低圧用減圧室１９に流入するガスの圧力を制御する。
【０００６】
上記した低圧減圧部７の下方には、供給用低圧減圧部３１が設けられ、供給用低圧減圧部３１と低圧減圧部７との間のガス連通路２９には、オリフィス３３が設けられている。
【０００７】
ここで、中圧ノズル部１７から低圧ノズル部２７に向けてガス連通路２９を流れるガスの流量が少ないときは、オリフィス３３を境にしてその上流側のガス連通路２９の圧力Ｐ０と同下流側の低圧ノズル部２７のＰ１との間で圧力差がほとんど発生しない。上記圧力Ｐ０は、ガス連通路２９と出口バイパス通路３５を通して連通している供給用低圧減圧室３７の圧力Ｐ２と同等であり、圧力Ｐ１は、低圧ノズル部２７と小孔３９を通して連通しているスプリング室４１の圧力と同等である。
【０００８】
上記したような圧力Ｐ０と圧力Ｐ１との間で圧力差がほとんどない状態、言い換えればスプリング室４１の圧力（Ｐ１）と供給用低圧減圧室３７の圧力Ｐ２（＝Ｐ０）とがほぼ等しい状態では、供給用低圧スプリング４３の荷重により供給用低圧ダイヤフラム４５が下方に変位する。これに伴いレバー４７が反時計方向に回動してバイパス弁４９がバイパスノズル部５１を閉じ、供給用減圧室３７からガス出口通路３へのガスの流出が停止され、図に示す状態となる。
【０００９】
上記ガス連通路２９を流れるガスの流量が多くなり流速が増してくると、オリフィス３３の前後で圧力損失が発生してＰ０＞Ｐ１となり、スプリング室４１の圧力（Ｐ１）が低下して供給用低圧減圧室３７の圧力Ｐ２（＝Ｐ０）より低くなる。供給用低圧減圧室３７の圧力Ｐ２（＝Ｐ０）がスプリング室４１の圧力（Ｐ１）より、例えば０．０１ＭＰａ高くなると、供給用低圧スプリング４３が撓んで供給用低圧ダイヤフラム４５が上方に変位し、これに伴いレバー４７が時計方向に回動する。これによりバイパス弁４９がバイパスノズル部５１を開放し、中圧用減圧室９側のガスが、供給用低圧減圧室３７を経てガス出口通路３へ流れる。
【００１０】
このようなガスの流れが発生する圧力調整器では、低圧減圧部７が主にガス出口通路３側の圧力を調整する役目を果たし、供給用低圧減圧部３１が主にガス出口通路３にガスを供給する役目を果たしている。
【００１１】
【発明が解決しようとする課題】
ところで、上記したような従来の圧力調整器は、上下方向が図に示す状態で設置されることが一般的であり、この場合、中圧減圧部５および低圧減圧部７では、それぞれのダイヤフラム１３，２３の下部にガスが存在するので問題ないが、供給用低圧減圧部３１においては、供給用低圧ダイヤフラム４５の上部のスプリング室４１にガスが存在し、かつこのスプリング室４１には、オリフィス３３の下流の低圧ノズル部２７に上端が連通する小孔３９が下方に向けて直接開口しているので、ガス中に含まれるドレンなどの異物、特にＬＰガスボンベへのガス充填時に使用するコンプレッサの潤滑油や、ゴムホースの可塑剤などの油分が、小孔３９を通してスプリング室４１に入り込み、供給用低圧ダイヤフラム４５上に溜まってしまう。
【００１２】
このような現象が発生すると、ゴム製で構成されている供給用低圧ダイヤフラム４５が膨潤することでダイヤフラムの有効面積が変化したり、油分が堆積することで供給用低圧ダイヤフラム４５の上下変位動作が緩慢となって、圧力調整器としての性能が悪化するという問題がある。
【００１３】
そこで、この発明は、ダイヤフラムの上部にガスが存在する構成であっても、ダイヤフラムの上部にドレンなどの異物が堆積しないようにすることを目的としている。
【００１４】
【課題を解決するための手段】
前記目的を達成するために、請求項１の発明は、ガス入口通路とガス出口通路とを連通する第１のノズル部を開閉可能な第１の弁体および、この第１の弁体の開閉動作を、前記ガス出口通路側の圧力変化に基づき変位することで行わせる第１のダイヤフラムを備えた第１の減圧手段と、前記ガス入口通路と前記第１のノズル部との間に設けられ、ガスの流れに伴って圧力を低下させる差圧発生手段と、この差圧発生手段の下流側の圧力低下部に対し、前記差圧発生手段の上流側に連通する減圧室を画成するとともに、前記圧力低下部と前記減圧室との圧力差に基づき変位する第２のダイヤフラム、前記減圧室と前記ガス出口通路とを連通する第２のノズル部、この第２のノズル部を、前記第２のダイヤフラムの動作に連動して開閉可能な第２の弁体をそれぞれ設けて構成した第２の減圧手段とを有し、前記第２のダイヤフラムは、その上部側に、前記差圧発生手段の下流側の圧力低下部を備えてほぼ水平配置されている圧力調整器において、前記圧力低下部に、第２のダイヤフラムの上部にガス導入空間を形成するようドレン防止部材を設け、このドレン防止部材の周囲側部に、差圧発生手段側と第１のノズル部側とを連通する連絡路を設けるとともに、この連絡路と前記ガス導入空間とを連通する連通孔を前記ドレン防止部材に設けた構成としてある。
【００１５】
このような構成の圧力調整器によれば、ガス入口通路から差圧発生手段を通ったガスは、ドレン防止部材の周囲側部の連絡路を通ってその下流の第１の減圧手段における第１のノズル部に流出する。このとき、差圧発生手段の下流側はドレン防止部材の側部に位置している連通孔を通して第２のダイヤフラムの上部のガス導入空間に連通しており、ガスに含まれるドレンなどの異物はガス導入空間に入りにくいものとなる。
【００１６】
請求項２の発明は、請求項１の発明の構成において、連通孔は、差圧発生手段側の圧力低下部の連絡路への接続部から離れた位置に配置されている。
【００１７】
上記構成によれば、連絡路に流入したガスは、より長い距離を流れて連通孔に達し、これによりガスに含まれる異物が連通孔まで達する量が低減される。
【００１８】
請求項３の発明は、請求項１または２の発明の構成において、連通孔は、連絡路の上部側に位置している。
【００１９】
上記構成によれば、連絡路をガスが流れる際に、異物は重力の影響で主にその下部側を流れるので、連絡路の上部に開口している連通孔には異物が侵入しにくくなる。
【００２０】
請求項４の発明は、請求項１ないし３のいずれかの発明の構成において、ドレン防止部材の一部が、ガス出口通路側と圧力低下部とを隔てる隔壁となっている。
【００２１】
上記構成によれば、圧力調整器本体側のボディは、ドレン防止部材の隔壁部に相当する部位が不要となる。
【００２２】
請求項５の発明は、請求項１ないし４のいずれかの発明の構成において、ドレン防止部材は、下部が開放したキャップ状を呈し、圧力調整器のボディに装着された状態で、周囲側壁と前記ボディの内壁との間に連絡路が形成されている。
【００２３】
上記構成によれば、ドレン防止部材を圧力調整器のボディに装着すると、ドレン防止部材の周囲側壁とボディの内壁との間に、差圧発生手段から流れてくるガスが流入する連絡路が形成される。
【００２４】
【発明の実施の形態】
以下、この発明の実施の形態を図面に基づき説明する。
【００２５】
図１は、この発明の実施の一形態を示す圧力調整器の断面図であり、この圧力調整器も前記従来のものと同様に、ＬＰガスボンベからガスレンジなどの燃焼器にＬＰガスを供給するガス供給通路の途中に設けられるものである。ハウジング５３は、ガス入口通路５５およびガス出口通路５７をそれぞれ備えた下ボディ５９の上部に上ボディ６１が装着され、上ボディ６１のさらに上部にはカバー６３が装着されている。
【００２６】
上ボディ６１側には、０．０７〜１．５６ＭＰａで導入されるガスの圧力を、２．５５〜３．３ＫＰａ程度に減圧する第１の減圧手段としての低圧減圧部６５が設けられている。
【００２７】
低圧減圧部６５は、大気圧室６７側から低圧スプリング６９によりダイヤフラム受板７１を介して低圧用減圧室７３側に押圧される第１のダイヤフラムとしての低圧ダイヤフラム７５を備えている。低圧用減圧室７３は、上ボディ６１に形成した貫通孔７７，７８，７９および下ボディ５９に形成した図示しない通路を通してガス出口通路５７に連通している。低圧ダイヤフラム７５は、周縁が上ボディ６１とカバー６３との間に挟持固定され、大気圧室６７と低圧用減圧室７３とを気密に区画している。大気圧室６７は、大気開放孔８１により大気に開放されている。
【００２８】
低圧ダイヤフラム７５の中心には、作動桿８３が上下に貫通して設けられており、この作動桿８３の下部にはレバー８５の一端が摺動可能に交叉係合している。レバー８５は、ピン８７を中心として上ボディ６１に対し回動可能に軸支されており、その他端は第１の弁体としての低圧弁８９に連結されている。
【００２９】
上ボディ６１には、ガス入口通路５５と低圧用減圧室７３とを連通するガス連通路９１が形成されている。ガス連通路９１の低圧用減圧室７３側の端部の開口部９１ａには、低圧弁ケース９３が固定されている。前記低圧弁８９は、この低圧弁ケース９３内に、図中で左右方向に移動可能に収容され、低圧弁ケース９３に形成された第１のノズル部としての低圧ノズル部９５を開閉し、これにより底圧用減圧室７３とガス連通路９１とを連通遮断する。
【００３０】
ガス連通路９１のガス入口通路５５側は、水平通路９１ｂと鉛直通路９１ｃとから構成され、鉛直通路９１ｃの下端は、下ボディ５９に形成した通路９７を通してガス入口通路５５に連通している。鉛直通路９１ｃには、差圧発生手段としてのオリフィス９９が設けられている。このオリフィス９９をガスが通過することで、その上下流間で圧力損失が生じ、下流側の低圧ノズル部９５側が圧力低下部となる。
【００３１】
作動桿８３の大気圧室６７内に突出した先端には、膨大部１０１が形成されており、この膨大部１０１の下部のばね受け座１０３と低圧ダイヤフラム７５の中心部との間には、安全弁調整スプリング１０５が介装されている。安全弁調整スプリング１０５は、作動桿８３に一体に形成された安全弁の弁体１０７を、低圧ダイヤフラム７５に当接する方向に常時付勢している。
【００３２】
ガス連通路９１の水平通路９１ｂと開口部９１ａとの間には、ドレン防止部材としてのドレン防止キャップ１０９が、ねじ１１１により上ボディ６１に固定されている。ドレン防止キャップ１０９は、低圧減圧部６５の下部に位置している、後述する第２の減圧部としての供給用低圧減圧部１１３における第２のダイヤフラムとしての供給用低圧ダイヤフラム１１５上に、ガス中に含まれるドレンなどの異物が溜まるのを防止するものである。
【００３３】
ドレン防止キャップ１０９は、下部側が開口した状態で上部側が、上ボディ６１に形成したキャップ収容部１１７に、シール材１１８を介して収容されている。このキャップ収容部１１７における上ボディ６１の、ねじ１１１より図中で右側の一部には、開口孔１１９が形成され、この開口孔１１９は、ドレン防止キャップ１０９がキャップ収容部１１７に収容されることで密閉される。つまり、ドレン防止キャップ１０９の一部が、ガス出口通路５７に連通する低圧用減圧室７３と圧力低下部であるガス連通路９１とを隔てる隔壁となって上ボディ６１の一部を構成していることになる。
【００３４】
ドレン防止キャップ１０９の周囲側部に対向する上ボディ６１の内壁面には、環状の凹部１２１が形成され、これによりドレン防止キャップ１０９の周囲側部と上ボディ６１の凹部１２１との間に、ガス連通路９１における開口部９１ａと水平通路９１ｂとを連通する連絡路１２３が形成されることとなる。また、連絡路１２３および開口部９１ａは、図中で上下方向の長さが互いにほぼ同等であり、開口部９１ａの上部側のほぼ半分に対向する部分のドレン防止キャップ１０９には、連絡路１２３とドレン防止キャップ１０９の内側のガス導入空間とを連通する連通孔１２５が形成されている。
【００３５】
図２は、（ａ）が上ボディ６１におけるキャップ収容部１１７の内壁面形状および、凹部１２１に連通するガス連通路９１の形状を示す斜視図で、（ｂ）が（ａ）の下方から装着されるドレン防止キャップ１０９の斜視図である。図３は、ドレン防止キャップ１０９をキャップ収容部１１７に収容した状態の斜視図である。ガス入口通路５５からガス連通路９１に流入したガスは、連絡路１２３に流入した後、図３中で矢印Ａ，Ｂで示すように、左右に分かれ、ドレン防止キャップ１０９の周囲を通って開口部９１ａにて合流する。
【００３６】
供給用低圧減圧部１１３における供給用低圧ダイヤフラム１１５は、上ボディ６１と下ボディ５９との間に周縁が固定されており、この供給用低圧ダイヤフラム１１５は、ドレン防止キャップ１０９の内側のガス導入空間としてのスプリング室１２７と、下ボディ５９の減圧室としての供給用低圧減圧室１２９とを気密に区画するもので、スプリング室１２７内に収容された供給用低圧スプリング１３１により供給用低圧減圧室１２９側に押圧されている。
【００３７】
供給用低圧ダイヤフラム１１５の中心には、ダイヤフラム軸１３３が上下に貫通して設けられており、このダイヤフラム軸１３３は、供給用低圧減圧室１２９側にて一体に形成されているフランジ１３３ａを備えるとともに、スプリング室１２７側にてナット１３５が螺合締結されている。上記フランジ１３３ａとナット１３５との間で、供給用低圧ダイヤフラム１１５を、ダイヤフラム受板１３７を介して挟持固定することで、ダイヤフラム軸１３３が供給用低圧ダイヤフラム１１５に固定される。
【００３８】
ダイヤフラム軸１３３の下端には、レバー１３９の一端が摺動可能に交叉係合している。レバー１３９は、ピン１４１を中心として下ボディ５９に対し回動可能に軸支されており、その他端は第２の弁体としてのバイパス弁１４３に連結されている。
【００３９】
供給用低圧減圧室１２９は、ガス入口通路５５に連通するとともに、ガス出口通路５７に連通可能となっており、供給用低圧減圧室１２９とガス出口通路５７との間には、第２のノズル部としてのバイパスノズル部１４５を備えたバイパスノズル１４７が装着されている。このバイパスノズル部１４５に対し、前記バイパス弁１４３が開閉可能となるように、供給用低圧減圧室１２９内にて左右方向に移動可能に収容されている。
【００４０】
次に、上記した構成の圧力調整器の動作を説明する。低圧減圧部６５においては、燃焼器側にてガスが使用されることで、低圧用減圧室７３の圧力が低下し、低圧スプリング６９により低圧ダイヤフラム７５が下方に押圧されて変位すると、これに伴いレバー８５が反時計方向に回動するとともに、低圧弁８９が右方向に移動して低圧ノズル部９５を開放する。これにより、ガス入口通路５５からガス連通路９１および連絡路１２３を経て流れてくるガスが、低圧ノズル部９５を通ってガス出口通路５７に流出する。
【００４１】
低圧用減圧室７３の圧力が上昇して低圧スプリング６９の弾性力に打ち勝つと、低圧ダイヤフラム７５が上方に向けて変位し、低圧弁８９が左方向へ移動して低圧ノズル部９５の流路を狭め、低圧用減圧室７３へのガスの流入を制御する。このように、低圧弁８９が低圧ノズル部９５の流路を開閉制御して低圧用減圧室７３に流入するガスの圧力を制御する。
【００４２】
ここで、ガス入口通路５５から低圧ノズル部９５に向けてガス連通路９１を流れるガスの流量が少ないときには、オリフィス９９を境にしてその上流側の圧力Ｐ０と同下流側の低圧ノズル部９５の圧力Ｐ１との間で圧力差がほとんど発生しない。上記圧力Ｐ０は、ガス連通路９１と、通路９７およびガス入口通路５５を通して連通している供給用低圧減圧室１２９の圧力Ｐ２と同等であり、圧力Ｐ１は、低圧ノズル部９５と連通孔１２５を通して連通しているスプリング室１２７の圧力と同等である。
【００４３】
上記したような圧力Ｐ０と圧力Ｐ１との間で圧力差がほとんどない状態、言い換えればスプリング室１２７の圧力（Ｐ１）と供給用低圧減圧室１２９の圧力Ｐ２（＝Ｐ０）とがほぼ等しい状態では、供給用低圧スプリング１３１の荷重により供給用低圧ダイヤフラム１１５が下方に変位する。これに伴いレバー１３９が反時計方向に回動してバイパス弁１４３がバイパスノズル部１４５を閉じ、供給用低圧減圧室１２９からガス出口通路５７へのガスの流出が停止される。
【００４４】
上記ガス連通路９１を流れるガスの流量が多くなり流速が増してくると、オリフィス９９の前後で圧力損失が発生してＰ０＞Ｐ１となり、スプリング室１２７の圧力（Ｐ１）が低下して供給用低圧減圧室１２９の圧力Ｐ２（＝Ｐ０）より低くなる。供給用低圧減圧室１２９の圧力Ｐ２（＝Ｐ０）がスプリング室１２７の圧力（Ｐ１）より、例えば０．０１ＭＰａ高くなると、供給用低圧スプリング１３１が撓んで供給用低圧ダイヤフラム１１５が上方に変位し、これに伴いレバー１３９が時計方向に回動する。これによりバイパス弁１４３が図中で左方向に移動してバイパスノズル部１４５を開放し、ガス入口通路５５に流入してくるガスが、供給用減圧室１２９を経てガス出口通路５７へ流れる。
【００４５】
このようなガスの流れが発生する圧力調整器では、前記図４に示した従来のものと同様に、低圧減圧部６５が主にガス出口通路５７側の圧力を調整する役目を果たし、供給用低圧減圧部１１３が主にガス出口通路５７にガスを供給する役目を果たしている。
【００４６】
上記したガスの流れの過程において、ガス入口通路５５からオリフィス９９を経てガス連通路９１に流入したガスは、ドレン防止キャップ１０９の外周と上ボディ６１との間に形成されている連絡路１２３を、図３における矢印Ａ，Ｂで示すように、左右に分かれて開口部９１ａに達する。
【００４７】
そして、この開口部９１ａとドレン防止キャップ１０９の内側のスプリング室１２７とを連通する連通孔１２５は、ドレン防止キャップ１０９の側部に設けられているので、前記図４に示した従来例のように、スプリング室４１の上部に小孔３９を備えているものに比べ、供給されるガス中に含まれるドレンなどの異物がスプリング室１２７に入りにくいものとなる。特に、上記した連通孔１２５は、ガス流入側の水平通路９１ｂと反対側、すなわち、より下流側の側部に設けられ、かつ連絡路１２３の上部に開口しているので、スプリング室１２７への異物の流入はより確実に回避することができる。
【００４８】
その結果、供給用低圧ダイヤフラム１１５上へ異物が堆積しにくくなり、供給用低圧ダイヤフラム１１５の上下変位動作が正常になされるとともに、異物がガス充填時に使用するコンプレッサの潤滑油や、ゴムホースの可塑剤などの油分であっても、ゴム製で構成されている供給用低圧ダイヤフラム１１５の膨潤が回避されてダイヤフラムの有効面積変化も防止でき、これらにより圧力調整器としての性能悪化が回避される。
【００４９】
また、ドレン防止キャップ１０９は、スプリング室１２７と低圧用減圧室７３とを隔てる隔壁の役目を果たし、その部位に相当する上ボディ６１の部位が不要となる。
【００５０】
【発明の効果】
以上説明してきたように、請求項１の発明によれば、差圧発生手段の下流側はドレン防止部材の側部に位置している連通孔を介して供給用低圧ダイヤフラムの上部のガス導入空間に連通しているので、ガスに含まれるドレンなどの異物は供給用低圧ダイヤフラムの上部のガス導入空間に入りにくくなり、供給用低圧ダイヤフラム上に異物が堆積することによる圧力調整器としての性能悪化を防止することができる。
【００５１】
請求項２の発明によれば、連通孔は、差圧発生手段側の圧力低下部の連絡路に対する接続部から離れた配置されているので、連絡路に流入したガスは、より長い距離を流れて連通孔に達し、これによりガスに含まれる異物が連通孔まで達する量が低減され、供給用低圧ダイヤフラムの上部のガス導入空間への異物の侵入をより確実に防止することができる。
【００５２】
請求項３の発明によれば、連通孔は、連絡路の上部側に位置しているので、重力の影響により主に下部側を流れる異物は、連絡路の上部に開口している連通孔に侵入しにくくなる。
【００５３】
請求項４の発明によれば、ドレン防止部材の一部が、ガス出口通路側と圧力低下部とを隔てる隔壁となっているので、圧力調整器本体側のボディは、ドレン防止部材の隔壁部に相当する部位を不要とすることができる。
【００５４】
請求項５の発明によれば、ドレン防止部材は、下部が開放したキャップ状を呈し、圧力調整器のボディに装着された状態で、周囲側壁と前記ボディの内壁との間に連絡路が形成されているので、差圧発生手段から流れてくるガスが流入する連絡路の形成が容易となる。
【図面の簡単な説明】
【図１】この発明の実施の一形態を示す圧力調整器の断面図である。
【図２】図１の圧力調整器におけるドレン防止キャップおよび、ドレン防止キャップが装着される部位の上ボディの内壁面形状を示す斜視図である。
【図３】ドレン防止キャップが上ボディに装着された状態の斜視図である。
【図４】従来例を示す圧力調整器の断面図である。
【符号の説明】
５５  ガス入口通路
５７  ガス出口通路
６５  低圧減圧部（第１の減圧手段）
７５  低圧ダイヤフラム（第１のダイヤフラム）
８９  低圧弁（第１の弁体）
９５  低圧ノズル部（第１のノズル部）
９９  オリフィス（差圧発生手段）
１０９  ドレン防止キャップ（ドレン防止部材）
１１３  供給用低圧減圧部（第２の減圧手段）
１１５  供給用低圧ダイヤフラム（第２のダイヤフラム）
１２３  連絡路
１２５  連通孔
１２７  スプリング室（ガス導入空間）
１２９  供給用低圧減圧室（減圧室）
１４３  バイパス弁（第２の弁体）
１４５  バイパスノズル部（第２のノズル部）
【図１】
0003561198.tif 000002
【図２】
0003561198.tif 000003
【図３】
0003561198.tif 000004
【図４】
0003561198.tif 000005